(57)【要約】【課題】浸漬時間に応じた炊飯シーケンスで予約炊飯を行う炊飯器において、より希望する終了時間近くに炊き上がるようにし、実際の浸漬時間に応じた炊飯を行うようにする。【解決手段】米と水とを入れる内鍋１を加熱手段２により加熱し、内鍋１の温度を検知する温度検知手段３の出力を制御手段８に入力して加熱手段２を制御する。予約設定開始手段４により炊飯終了時刻または炊飯終了までの時間の設定を開始するとともに、予約時間設定手段５により炊飯終了時刻または炊飯終了までの時間の設定をし、第１の浸漬時間計測手段６により内鍋１に米と水が入れられてから炊飯開始および炊飯終了時刻または炊飯終了までの時間の設定時までの時間を計測する。制御手段８は、予約時間設定手段５により設定された時間が第１の浸漬時間計測手段６の出力に応じた予約可能時間以上かを判断するよう構成する。【選択図】図１
2007289308.tif 000002
【特許請求の範囲】
【請求項１】
米と水とを入れる内鍋と、前記内鍋を加熱する加熱手段と、前記内鍋の温度を検知する温度検知手段と、前記温度検知手段の出力を入力として前記加熱手段を制御する制御手段と、炊飯終了時刻または炊飯終了までの時間の設定を開始する予約設定開始手段と、炊飯終了時刻または炊飯終了までの時間の設定をする予約時間設定手段と、前記内鍋に米と水が入れられてから炊飯開始および炊飯終了時刻または炊飯終了までの時間の設定時までの時間を計測する第１の浸漬時間計測手段とを備え、前記制御手段は、前記予約時間設定手段により設定された時間が前記第１の浸漬時間計測手段の出力に応じた予約可能時間以上かを判断するよう構成した炊飯器。
【請求項２】
予約時間設定手段により設定されてから実際の炊飯開始までの時間を計測あるいは計算する第２の浸漬時間計測手段を備え、制御手段は、前記予約時間設定手段により設定された時間が第１の浸漬時間計測手段と前記第２の浸漬時間計測手段の出力に応じた予約可能時間以上かを判断するよう構成した請求項１記載の炊飯器。
【請求項３】
予約時間設定手段により設定されてから所定の条件の場合に炊飯を開始する時間までの時間を計測あるいは計算する第３の浸漬時間計測手段を備え、制御手段は、前記予約時間設定手段により設定された時間が第１の浸漬時間計測手段と前記第３の浸漬時間計測手段の出力に応じた予約可能時間以上かを判断するよう構成した請求項１記載の炊飯器。
【請求項４】
外部に注意を促す第１の報知手段を備え、制御手段は、予約可能時間未満であると判断した場合でも、前記予約可能時間より第２の所定の時間短い第２の予約可能時間以上である場合は、その旨を前記第１の報知手段で報知するようにした請求項１〜３のいずれか１項に記載の炊飯器。
【請求項５】
浸漬時間を入力する浸漬時間入力手段を備え、前記浸漬時間入力手段によって入力された浸漬時間を第１の浸漬時間計測手段の出力の代わりに使用するようにした請求項１〜４のいずれか１項に記載の炊飯器。
【請求項６】
炊飯器の状態を外部に報知する第２の報知手段を備え、制御手段は、予約時間設定手段により炊飯終了時刻または炊飯終了までの時間の設定をした場合に、炊飯開始時刻を前記第２の報知手段により報知するようにした請求項１〜５のいずれか１項に記載の炊飯器。
【請求項７】
炊飯器の状態を外部に報知する第３の報知手段を備え、制御手段は、第１の浸漬時間計測手段から第３の浸漬時間計測手段の出力を前記第３の報知手段により報知するようにした請求項１〜６のいずれか１項に記載の炊飯器。
【発明の詳細な説明】
【技術分野】
【０００１】
本発明は、浸漬時間に応じた炊飯シーケンスで予約炊飯を行う炊飯器に関するものである。
【背景技術】
【０００２】
従来、この種の炊飯器と似た構成の炊飯器には、予約終了時刻と予約炊飯開始時刻との差に応じて米の給水を促進する前炊き工程の時間を可変するような炊飯器がある（例えば、特許文献１参照）。
【０００３】
また、確定した予約時刻が予約可能時間かどうかを判断するものや予備浸漬時間に応じて、前炊きの時間を加減する炊飯器といったような炊飯器もある（例えば。特許文献２、特許文献３参照）。
【特許文献１】特開平０８−３０８７２４号公報
【特許文献２】特開２００４−０８２９８号公報
【特許文献３】特開２００５−２６１７０６号公報
【発明の開示】
【発明が解決しようとする課題】
【０００４】
しかしながら、このような従来の構成では、希望する終了時間までの時間が短いために予約不可能と判断されたにもかかわらず、即炊飯を行った場合に、それまでの浸漬時間によっては希望する時間より早く炊けてしまうという問題と、予約終了時刻と予約設定時刻もしくは予約炊飯開始時刻との差に応じて炊飯を行うために、予約設定を行う前を含めた実際の浸漬時間と異なった時間に応じた炊飯を行ってしまうという問題を有していた。
【０００５】
本発明は上記従来の課題を解決するもので、より希望する終了時間近くに炊き上がるようにするとともに、より実際の浸漬時間に応じた炊飯を行うようにすることを目的としている。
【課題を解決するための手段】
【０００６】
本発明は上記目的を達成するために、米と水とを入れる内鍋を加熱手段により加熱し、内鍋の温度を検知する温度検知手段の出力を制御手段に入力して加熱手段を制御し、予約設定開始手段により炊飯終了時刻または炊飯終了までの時間の設定を開始するとともに、予約時間設定手段により炊飯終了時刻または炊飯終了までの時間の設定をし、第１の浸漬時間計測手段により内鍋に米と水が入れられてから炊飯開始および炊飯終了時刻または炊飯終了までの時間の設定時までの時間を計測するよう構成し、制御手段は、予約時間設定手段により設定された時間が第１の浸漬時間計測手段の出力に応じた予約可能時間以上かを判断するよう構成したものである。
【０００７】
これにより、内鍋に米と水が入れられてから炊飯開始および炊飯終了時刻または炊飯終了までの時間の設定時までの時間に応じて、予約可能時間以上かどうかを判断することで、即炊飯の場合を含めてより希望する時間近くに炊けるようにできるとともに、実際の浸漬時間に応じた炊飯を行うことができる。
【発明の効果】
【０００８】
本発明の炊飯器は、より希望する終了時間近くに炊き上がるようにできるとともに、より実際の浸漬時間に応じた炊飯を行うことができる。
【発明を実施するための最良の形態】
【０００９】
第１の発明は、米と水とを入れる内鍋と、前記内鍋を加熱する加熱手段と、前記内鍋の温度を検知する温度検知手段と、前記温度検知手段の出力を入力として前記加熱手段を制御する制御手段と、炊飯終了時刻または炊飯終了までの時間の設定を開始する予約設定開始手段と、炊飯終了時刻または炊飯終了までの時間の設定をする予約時間設定手段と、前記内鍋に米と水が入れられてから炊飯開始および炊飯終了時刻または炊飯終了までの時間の設定時までの時間を計測する第１の浸漬時間計測手段とを備え、前記制御手段は、前記予約時間設定手段により設定された時間が前記第１の浸漬時間計測手段の出力に応じた予約可能時間以上かを判断するよう構成したものであり、希望する終了時間に炊き上がるようにできるとともに、実際の浸漬時間に応じた炊飯を行うことができる。
【００１０】
第２の発明は、上記第１の発明において、予約時間設定手段により設定されてから実際の炊飯開始までの時間を計測あるいは計算する第２の浸漬時間計測手段を備え、制御手段は、前記予約時間設定手段により設定された時間が第１の浸漬時間計測手段と前記第２の浸漬時間計測手段の出力に応じた予約可能時間以上かを判断するよう構成したものであり、浸漬時間によって炊飯時間が変わっても、より希望する終了時間近くに炊き上がるようにできるとともに、実際の浸漬時間に応じた炊飯を行うことができる。
【００１１】
第３の発明は、上記第１の発明において、予約時間設定手段により設定されてから所定の条件の場合に炊飯を開始する時間までの時間を計測あるいは計算する第３の浸漬時間計測手段を備え、制御手段は、前記予約時間設定手段により設定された時間が第１の浸漬時間計測手段と前記第３の浸漬時間計測手段の出力に応じた予約可能時間以上かを判断するよう構成したものであり、より簡易な方法で浸漬時間によって炊飯時間が変わっても、より希望する終了時間近くに炊き上がるようにできるとともに、実際の浸漬時間に応じた炊飯を行うことができる。
【００１２】
第４の発明は、上記第１〜３のいずれか１つの発明において、外部に注意を促す第１の報知手段を備え、制御手段は、予約可能時間未満であると判断した場合でも、前記予約可能時間より第２の所定の時間短い第２の予約可能時間以上である場合は、その旨を前記第１の報知手段で報知するようにしたものであり、予約不可能な時間とわずかな差の場合に浸漬時間によって炊飯時間が変わっても、より希望する終了時間近くに炊き上がるようにできるとともに、実際の浸漬時間に応じた炊飯を行うことができる。
【００１３】
第５の発明は、上記第１〜４のいずれか１つの発明において、浸漬時間を入力する浸漬時間入力手段を備え、前記浸漬時間入力手段によって入力された浸漬時間を第１の浸漬時間計測手段の出力の代わりに使用するようにしたものであり、炊飯器の外で浸漬していた場合でも、希望する終了時間近くに炊き上がるようにできるとともに、実際の浸漬時間に応じた炊飯を行うことができる。
【００１４】
第６の発明は、上記第１〜５のいずれか１つの発明において、炊飯器の状態を外部に報知する第２の報知手段を備え、制御手段は、予約時間設定手段により炊飯終了時刻または炊飯終了までの時間の設定をした場合に、炊飯開始時刻を前記第２の報知手段により報知するようにしたものであり、浸漬時間によって変化する炊飯開始時間であっても故障や設定間違いといった誤解を生じずに、希望する終了時間近くに炊き上がるようにできるとともに、実際の浸漬時間に応じた炊飯を行うことができる。
【００１５】
第７の発明は、上記第１〜６のいずれか１つの発明において、炊飯器の状態を外部に報知する第３の報知手段を備え、制御手段は、第１の浸漬時間計測手段から第３の浸漬時間計測手段の出力を前記第３の報知手段により報知するようにしたものであり、開始時間が変わる理由を知ることができ、浸漬時間によって変化する炊飯開始時間であっても故障や設定間違いといった誤解を生じずに、希望する終了時間近くに炊き上がるようにできるとともに、実際の浸漬時間に応じた炊飯を行うことができる。
【００１６】
以下、本発明の実施の形態について、図面を参照しながら説明する。なお、この実施の形態によって本発明が限定されるものではない。
【００１７】
（実施の形態１）
図１は、本発明の実施の形態１における炊飯器の要部ブロック図を示すものである。
【００１８】
図１に示すように、内鍋１は米と水とを入れるもので、この内鍋１を加熱手段２により加熱し、温度検知手段３により内鍋１の温度を検知するようにしている。予約設定開始手段４は炊飯終了時刻または炊飯終了までの時間の設定を開始するものであり、予約時間設定手段５は炊飯終了時刻または炊飯終了までの時間の設定をするものである。第１の浸漬時間計測手段６は内鍋１に米と水が入れられてからの時間を計測することで、炊飯開始および炊飯終了時刻または炊飯終了までの時間の設定時までの時間を計測するものである。炊飯開始手段７は予約時刻の設定の完了および炊飯終了時刻の設定をせずに即炊飯を開始するものである。制御手段８は予約時間設定手段５により設定された時間が第１の浸漬時間計測手段６の出力に応じた予約可能時間以上かを判断するとともに、第１の浸漬時間計測手段６の出力と温度検知手段３の出力を入力として、加熱手段２を制御するよう構成している。表示手段９は設定された予約時刻や予約の可能、不可能などの状態や炊飯器の状態を表示するようにしている。
【００１９】
上記構成において図２を参照しながら動作を説明する。図２において、ステップＳ２０では内鍋１内に米と水が入れられているかどうかを判断し、入れられている場合はステップＳ２１へ進み、入れられていない場合はステップＳ２２へ進む。ステップＳ２１では第１の浸漬時間計測手段６で第１の浸漬時間を計測し、ステップＳ２３へ進む。ステップＳ２２では第１の浸漬時間計測手段６による第１の浸漬時間の計測をゼロにして、ステップＳ２３へ進む。ステップＳ２３では炊飯終了時刻の設定を開始する予約設定開始手段５が操作されたかどうかを判断し、操作された場合はステップＳ２４へ進み、操作されていない場合はステップＳ２０へ戻る。ステップＳ２４では、予約時間設定手段５によって予約時刻を設定し、設定された予約時刻を表示手段９に表示して、ステップＳ２５へ進む。
【００２０】
ステップＳ２５では第１の浸漬時間が６０分以上であれば４０分後まで、３０分以上であれば５０分後まで、３０分未満であれば６０分後までというように予約可能時間を決定しステップＳ２６へ進む。ステップ２６では予約時間設定手段５によって設定された予約時刻が、ステップＳ２５で決定した予約可能時間以上であるかどうかを判断し、予約可能時間以上であればステップＳ２７へ進み、予約可能時間未満であれば、ステップＳ２８へ進む。ステップＳ２７では予約炊飯可能であることを表示手段９によって報知し、ステップＳ２９へ進む。ステップＳ２８では予約炊飯不可能であることを表示手段９によって報知し、ステップＳ３０へ進む。
【００２１】
ステップＳ２９では炊飯開始手段７が操作されたかどうかを判定し、操作された場合はステップＳ３１へ進み、操作されていない場合はステップＳ２４へ戻る。ステップＳ３１では設定された予約時間と第１の浸漬時間に応じて予約炊飯を開始する。ステップＳ３０では炊飯開始手段が操作されたかどうかを判定し、操作された場合はステップＳ３２へ進み、操作されていない場合はステップＳ２４へ戻る。ステップＳ３２では、予約炊飯を行わずに第１の浸漬時間に応じた炊飯を開始する。
【００２２】
以上のように、本実施の形態においては、内鍋１に米と水が入れられてから、炊飯開始および炊飯終了時刻または炊飯終了までの時間の設定時までの時間に応じて、予約可能時間かどうかを判定するように構成することで、浸漬時間によって炊飯時間が変わってもより希望する終了時間近くに炊き上がるようにできるとともに、実際の浸漬時間に応じた炊飯を行うことができる。
【００２３】
なお、本実施の形態では、予約設定を開始してから浸漬時間を計測していないが、炊飯開始手段７が操作されるまで、浸漬時間の計測を継続してもよいのは明らかであり、その浸漬時間に応じて予約時刻設定中でも予約可能か予約不可能かの判断を変更してもよく、同様の作用、効果を得ることができる。
【００２４】
また、本実施の形態では、炊飯開始手段７が操作されるまで、予約可能か予約不可能かを表示手段９によって報知するようにしているが、炊飯開始手段７が操作されてから報知するようにしてもよいし、炊飯開始手段７が操作される前は表示で報知し、操作後は音で報知するといったように異なる方法で報知を行ってもよく、表示手段を限定する必要がないのは明らかである。また、本実施の形態では、内鍋１に米と水が入れられてから、炊飯開始および炊飯終了時刻または炊飯終了までの時間の設定開始までの時間を第１の浸漬時間としているが、炊飯開始手段７が操作されるまでの時間を浸漬時間としてもよく、同様の作用、効果を得ることができる。
【００２５】
また、本実施の形態では、内鍋１に米と水があるかどうかを判断して第１の浸漬時間を計測しているが、その判断する方法は、内鍋１の上部を覆う蓋の開閉の検知や、内鍋１の有無の検知や、炊飯器全体や内鍋１の重量を検知することで、内鍋１に米と水があるかどうかという判断をしてもよく、同様の作用、効果を得ることができる。
【００２６】
また、本実施の形態では、第１の浸漬時間を６０分以上、３０分以上、３０分未満の３つに区分しているが、さらに細かな区分で行ってもよく、メニュー、水温、室温、季節、時間帯などによって、その区分や予約可能時間を変更するようにしてもよく、同様の作用、効果を得ることができる。
【００２７】
（実施の形態２）
図３は、本発明の実施の形態２における炊飯器の要部ブロック図を示すものである。
【００２８】
図３に示すように、第２の浸漬時間計測手段１０は予約時間設定手段５により設定されてから実際の炊飯を開始するまでの時間を計測または計算するものである。制御手段１１は予約時間設定手段５により設定された時間が第１の浸漬時間計測手段６と第２の浸漬時間計測手段１０の出力に応じた予約可能時間以上かを判断するとともに、第１の浸漬時間計測手段６と第２の浸漬時間計測手段１０の出力と温度検知手段３の出力を入力として、加熱手段２を制御するよう構成している。他の構成は上記実施の形態１と同じであり、同一符号を付して説明を省略する。
【００２９】
上記構成において図４を参照しながら動作を説明する。図４において、ステップＳ４０では内鍋１に米と水が入れられているかどうかを判断し、入れられている場合はステップＳ４１へ進み、入れられていない場合はステップＳ４２へ進む。ステップＳ４１では第１の浸漬時間計測手段６で第１の浸漬時間を計測し、ステップＳ４３へ進む。ステップＳ４２では、第１の浸漬時間計測手段６による第１の浸漬時間の計測をゼロにして、ステップＳ４３へ進む。ステップＳ４３では炊飯終了時刻の設定を開始する予約設定開始手段５が操作されたかどうかを判断し、操作された場合はステップＳ４４へ進み、操作されていない場合は、ステップＳ４０へ戻る。ステップＳ４４では予約時間設定手段５によって予約時刻を設定し、設定された予約時刻を表示手段９に表示してステップＳ４５へ進む。
【００３０】
ステップＳ４５では炊飯開始手段７が操作されたかどうかを判定し、操作された場合はステップＳ４６へ進み、操作されていない場合はステップＳ４４へ戻る。ステップＳ４６では第１の浸漬時間計測手段６による第１の浸漬時間と設定された予約時間と現在時刻の差から、予約炊飯した場合の炊飯開始までの第２の浸漬時間と炊飯開始時間を計算してステップＳ４７へ進む。ステップＳ４７では第１の浸漬時間と第２の浸漬時間の合計が６０分以上であれば４０分前まで、３０分以上であれば５０分後まで、３０分未満であれば６０分後までというように予約可能時間を決定しステップ４８へ進む。
【００３１】
ステップ４８では、予約時間設定手段５によって設定された予約時刻が、ステップＳ４７で決定した予約可能時間以上であるかどうかを判断し、予約可能時間以上であればステップＳ４９へ進み、予約可能時間未満であればステップＳ５０へ進む。ステップ５０では、予約炊飯不可能であることを報知しステップＳ５１へ進む。ステップＳ４９では、設定された予約時間と第１の浸漬時間と第２の浸漬時間の合計に応じて予約炊飯を開始する。ステップＳ５１では予約炊飯を行わずに第１の浸漬時間に応じた炊飯を開始する。
【００３２】
以上のように、本実施の形態においては、内鍋１に米と水が入れられてから、炊飯開始および炊飯終了時刻または炊飯終了までの時間の設定時までの時間と実際に炊飯を開始するまでの時間に応じて、予約可能時間かどうかを判定するように構成することで、浸漬時間によって炊飯時間が変わってもより希望する終了時間近くに炊き上がるようにできるとともに、実際の浸漬時間に応じた炊飯を行うことができる。
【００３３】
なお、本実施の形態では、第１の浸漬時間と第２の浸漬時間を単純に加算したが、加算の比率を変えてもよいし、水温、室温やその変化などによって変えるようにしてもよく、同様の作用、効果を得ることができる。
【００３４】
（実施の形態３）
図５は、本発明の実施の形態３における炊飯器の要部ブロック図を示すものである。
【００３５】
図５に示すように、第３の浸漬時間計測手段１２は予約時間設定手段５により設定されてから予約炊飯時に実際の炊飯を開始するまでの最短の時間を計測するである。制御手段１３は予約時間設定手段５により設定された時間が第１の浸漬時間計測手段６と第３の浸漬時間計測手段１２の出力に応じた予約可能時間以上かを判断するとともに、第１の浸漬時間計測手段６と第３の浸漬時間計測手段１２の出力と温度検知手段３の出力を入力として、加熱手段２を制御するよう構成している。他の構成は上記実施の形態１と同じであり、同一符号を付して説明を省略する。
【００３６】
上記構成において図６を参照しながら動作を説明する。図６において、ステップＳ６０では内鍋１に米と水が入れられているかどうかを判断し、入れられている場合はステップＳ６１へ進み、入れられていない場合はステップＳ６２へ進む。ステップＳ６１では第１の浸漬時間計測手段６で第１の浸漬時間を計測し、ステップＳ６３へ進む。ステップＳ６２では、第１の浸漬時間計測手段６による第１の浸漬時間の計測をゼロにして、ステップＳ６３へ進む。ステップＳ６３では炊飯終了時刻の設定を開始する予約設定開始手段５が操作されたかどうかを判断し、操作された場合はステップＳ６４へ進み、操作されていない場合はステップＳ６０へ戻る。ステップＳ６４では予約時間設定手段５によって予約時刻を設定し、設定された予約時刻を表示手段９に表示して、ステップＳ６５へ進む。
【００３７】
ステップＳ６５では、炊飯開始手段７が操作されたかどうかを判定し、操作された場合はステップＳ６６へ進み、操作されていない場合はステップＳ６４へ進む。ステップＳ６６では予約時刻と現在時刻の差が、特定の条件の場合に炊飯を開始する時間として第１の所定の時間（例えば５０分）未満であれば第３の浸漬時間を０とし、第１の所定の時間以上であれば、第１の所定の時間を減算した時間を第３の浸漬時間としてステップＳ６７へ進む。ステップＳ６７では、第１の浸漬時間と第３の浸漬時間の合計が６０分以上であれば４０分前まで、３０分以上であれば５０分後まで、３０分未満であれば６０分後までというように予約可能時間を決定しステップＳ６８へ進む。
【００３８】
ステップ６８では、予約時間設定手段５によって設定された予約時刻が、ステップＳ６７で決定した予約可能時間以上であるかどうかを判断し、予約可能時間以上であればステップＳ６９へ進み、予約可能時間未満であればステップＳ７０へ進む。ステップ７０では、予約炊飯不可能であることを報知しステップＳ７１へ進む。ステップＳ６９では設定された予約時間と第１の浸漬時間と第３の浸漬時間の合計に応じて予約炊飯を開始する。ステップＳ７１では、予約炊飯を行わずに第１の浸漬時間に応じた炊飯を開始する。
【００３９】
以上のように、本実施の形態においては、内鍋１に米と水が入れられてから、炊飯開始および炊飯終了時刻または炊飯終了までの時間の設定時までの時間と、所定の条件の場合の炊飯開始までの時間に応じて、予約可能時間かどうかを判定することで、より簡易な方法で浸漬時間によって炊飯時間が変わっても、より希望する終了時間近くに炊き上がるようにできるとともに、実際の浸漬時間に応じた炊飯を行うことができる。
【００４０】
なお、本実施の形態では、第３の浸漬時間として、予約時間と現在時刻の差から所定の時間（例えば５０分）を減算した時間としているが、所定の時間は、通常の炊飯にかかる最大の時間としてもよいし、メニュー、室温、水温などによって変更するようにしてもよいし、周囲環境の変動を考慮して数分の余裕をとってもよく、同様の作用、効果を得ることができる。
【００４１】
（実施の形態４）
図７は、本発明の実施の形態４における炊飯器の要部ブロック図を示すものである。
【００４２】
図７に示すように、第３の浸漬時間計測手段１４は予約時間設定手段５が操作されてから特定の条件の場合に炊飯を開始するまでの時間を計測するものである。第１の報知手段１５ａは炊飯終了が遅れる可能性がある場合などに報知して外部に注意を促すものである。制御手段１６は予約時間設定手段５により設定された時間が第１の浸漬時間計測手段６と第３の浸漬時間計測手段１４の出力に応じた予約可能時間以上かを判断するとともに、第１の浸漬時間計測手段６と第３の浸漬時間計測手段１４の出力と温度検知手段３の出力を入力として、加熱手段２を制御するよう構成している。また、制御手段１４は、予約可能時間未満であると判断した場合でも、予約可能時間より第２の所定の時間短い第２の予約可能時間以上である場合は、その旨を第１の報知手段１５ａで報知するようにしている。他の構成は上記実施の形態１と同じであり、同一符号を付して説明を省略する。
【００４３】
上記構成において図８を参照しながら動作を説明する。図８において、ステップＳ８０では内鍋１に米と水が入れられているかどうかを判断し、入れられている場合はステップＳ８１へ進み、入れられていない場合はステップＳ８２へ進む。ステップＳ８２では、第１の浸漬時間計測手段６で第１の浸漬時間を計測し、ステップＳ８３へ進む。ステップＳ８２では、第１の浸漬時間計測手段６による第１の浸漬時間の計測をゼロにして、ステップＳ８３へ進む。ステップＳ８３では、炊飯終了時刻の設定を開始する予約設定開始手段５が操作されたかどうかを判断し、操作された場合はステップＳ８４へ進み、操作されていない場合はステップＳ８０へ進む。ステップＳ８４では予約時間設定手段５によって予約時刻を設定し、設定された予約時刻を表示手段９に表示して、ステップＳ８５へ進む。
【００４４】
ステップＳ８５では炊飯開始手段７が操作されたかどうかを判定し、操作された場合はステップＳ８６へ進み、操作されていない場合はステップＳ８４へ進む。ステップＳ８６では予約時間と現在時刻の差が、特定の条件の場合に炊飯を開始する時間として第１の所定の時間（例えば５０分）未満であれば第３の浸漬時間を０とし、第１の所定の時間以上であれば、第１の所定の時間を減算した時間を第３の浸漬時間としてステップＳ８７へ進む。ステップＳ８７では、第１の浸漬時間と第３の浸漬時間の合計が６０分以上であれば４０分前まで、３０分以上であれば５０分後まで、３０分未満であれば６０分後までというように予約可能時間を決定しステップＳ８８へ進む。
【００４５】
ステップ８８では、予約時間設定手段５によって設定された予約時刻が、ステップＳ８７で決定した予約可能時間以上であるかどうかを判断し、予約可能時間以上であれば、ステップＳ８９へ進み、予約可能時間未満であれば、ステップＳ９０へ進む。ステップＳ８９では設定された予約時間と第１の浸漬時間と第３の浸漬時間の合計に応じて予約炊飯を開始する。ステップ９０では予約時間設定手段５によって設定された予約時刻が予約可能時間から第２の所定の時間（例えば５分）減算した値を第２の予約可能時間とし、第２の予約可能時間以上であるかどうかを判断し、第２の予約可能時間以上であれば、ステップＳ９１へ進み、第２の予約可能時間未満であればステップＳ９２へ進む。
【００４６】
ステップＳ９１では、炊飯終了が遅れる可能性があることを第１の報知手段１５ａで報知し、ステップＳ９３へ進む。ステップＳ９３では、設定された予約時間と第１の浸漬時間と第３の浸漬時間の合計に応じて予約炊飯を開始する。ステップＳ９２では、予約炊飯不可能であることを報知し、ステップＳ９４へ進む。ステップＳ９４では予約炊飯を行わずに第１の浸漬時間に応じた炊飯を開始する。
【００４７】
以上のように、本実施の形態においては、内鍋１に米と水が入れられてから、炊飯開始および炊飯終了時刻または炊飯終了までの時間の設定時までの時間と、所定の条件の場合の炊飯開始までの時間に応じて、予約可能時間かどうかを判定するとともに、予約可能時間から第２の所定の時間の間であれば炊飯終了が遅れる可能性があることを第１の報知手段１５ａでその旨を報知するようにすることで、予約不可能な時間とわずかな差の場合に浸漬時間によって炊飯時間が変わっても、より希望する終了時間近くに炊き上がるようにできるとともに、実際の浸漬時間に応じた炊飯を行うことができる。
【００４８】
なお、本実施の形態では、第２の予約可能時間を予約時刻が予約可能時間から第２の所定の時間（例えば５分）減算した値としているが、メニュー、室温、水温などによって変更するようにしてもよいし、浸漬時間１と浸漬時間３の値によって変更するようにしてもよく、同様の作用、効果を得ることができる。
【００４９】
また、本実施の形態では、第１の報知手段１５ａを表示手段９と別のものとしているが、使用者に注意換気をする手段であればよいのであり、表示手段９の一部でもよいし、複数の報知手段を使用してもよく、同様の作用、効果を得ることができる。
【００５０】
また、本実施の形態では、第２の予約可能時間以上と判断した場合に、予約可能時間から第２の所定の時間の間であれば炊飯終了が遅れる可能性があることを第１の報知手段１５ａでその旨を報知して予約炊飯を行うようにしているが、使用者に予約時刻の再設定を促すようにしてもよいし、使用者の意思を確認するために、他の設定手段の操作で予約炊飯を行うようにしてもよいし、一定時間の放置後に予約炊飯を開始するようにしてもよく、同様の作用、効果を得ることができる。
【００５１】
（実施の形態５）
図９は、本発明の実施の形態５における炊飯器の要部ブロック図を示すものである。
【００５２】
図９に示すように、浸漬時間入力手段１７は第４の浸漬時間を設定するものであり、制御手段１８は予約時間設定手段５により設定された時間が浸漬時間入力手段１７によって設定された第４の浸漬時間に応じた予約可能時間以上かを判断するとともに、浸漬時間入力手段１７によって入力された第４の浸漬時間を第１の浸漬時間計測手段６の出力の代わりに使用するようにし、第４の浸漬時間と温度検知手段３の出力を入力として、加熱手段２を制御するよう構成している。他の構成は上記実施の形態１と同じであり、同一符号を付して説明を省略する。
【００５３】
上記構成において図１０を参照しながら動作を説明する。図１０において、ステップＳ１００では内鍋１に米と水が入れられているかどうかを判断し、入れられている場合はステップＳ１０１へ進み、入れられていない場合はステップＳ１０２へ進む。ステップＳ１０１では第１の浸漬時間計測手段６で第１の浸漬時間を計測し、ステップＳ１０３へ進む。ステップＳ１０２では第１の浸漬時間計測手段６による第１の浸漬時間の計測をゼロにしてステップＳ１０３へ進む。ステップＳ１０３では浸漬時間入力手段１７により第４の浸漬時間が設定されているかどうかを判断し、設定されている場合は、ステップＳ１０４に進み、設定されていない場合はステップＳ１０５へ進む。ステップＳ１０４では、第１の浸漬時間を第４の浸漬時間としてステップＳ１０５へ進む。
【００５４】
ステップＳ１０５では炊飯終了時刻の設定を開始する予約設定開始手段５が操作されたかどうかを判断し、操作された場合はステップＳ１０６へ進み、操作されていない場合は、ステップＳ１００へ戻る。ステップＳ１０６では予約時間設定手段５によって予約時刻を設定し、設定された予約時刻を表示手段９に表示してステップＳ１０７へ進む。ステップＳ１０７では炊飯開始手段７が操作されたかどうかを判定し、操作された場合はステップＳ１０８へ進み、操作されていない場合はステップＳ１０６へ戻る。
【００５５】
ステップＳ１０８では第１の浸漬時間に応じた予約可能時間を設定し、ステップＳ１０９へ進む。ステップＳ１０９では予約時間設定手段５によって設定された予約時刻がステップＳ１０８で設定された予約可能時間以上であるかどうかを判断し、予約可能時間以上であればステップＳ１１０へ進み、予約可能時間未満であればステップＳ１１１へ進む。ステップ１１１では予約炊飯不可能であることを報知し、ステップＳ１１２へ進む。ステップＳ１１０では設定された予約時間と第１の浸漬時間に応じて予約炊飯を開始する。ステップＳ１１２では予約炊飯を行わずに第１の浸漬時間に応じた炊飯を開始する。
【００５６】
以上のように、本実施の形態においては、第４の浸漬時間を設定する浸漬時間入力手段１７によって設定された浸漬時間に応じて予約可能時間かどうかを判定することで、炊飯器の外で浸漬していた場合でも、希望する終了時間近くに炊き上がるようにできるとともに、実際の浸漬時間に応じた炊飯を行うことができる。
【００５７】
なお、本実施の形態では、第４の浸漬時間を予約設定の開始前に設定するようにしているが、炊飯開始手段が操作されるまで設定可能としてもよく、同様の作用、効果を得ることができる。
【００５８】
また、本実施の形態では、内鍋に米と水が入れられているかどうかを判断して第１の浸漬時間を計測し、第４の浸漬時間の設定がされない場合に使用するようにしているが、内鍋に米と水が入れられているかどうかを判断して第１の浸漬時間を計測せずに、第４の浸漬時間の設定のみを使用し、設定されていない場合は、浸漬時間を０として扱うようにしてもよく、同様の作用、効果を得ることができる。
【００５９】
（実施の形態６）
図１１は、本発明の実施の形態６における炊飯器の要部ブロック図を示すものである。
【００６０】
図１１に示すように、第２の報知手段１５ｂおよび第３の報知手段１５ｃは炊飯器の状態を外部に報知するものであり、これらは表示手段９の一部を利用して報知するようにしている。制御手段１９は予約時間設定手段５により設定された時間が第１の浸漬時間計測手段６の出力に応じた予約可能時間以上かを判断するとともに、第１の浸漬時間計測手段６の出力と温度検知手段３の出力を入力として、加熱手段２を制御するよう構成している。また、制御手段１９は、予約時間設定手段５により炊飯終了時刻または炊飯終了までの時間の設定をした場合に、炊飯開始時刻を第２の報知手段１５ｂにより報知するようにし、第１の浸漬時間計測手段６の出力を第３の報知手段１５ｃにより報知するようにしている。他の構成は上記実施の形態１と同じであり、同一符号を付して説明を省略する。
【００６１】
上記構成において図１２を参照しながら動作を説明する。図１２において、ステップＳ１２０では内鍋に米と水が入れられているかどうかを判断し、入れられている場合はステップＳ１２１へ進み、入れられていない場合はステップＳ１２２へ進む。ステップＳ１２１では、第１の浸漬時間計測手段６で第１の浸漬時間を計測し、ステップＳ１２３へ進む。ステップＳ１２２では、第１の浸漬時間計測手段６による第１の浸漬時間の計測をゼロにしてステップＳ１２３へ進む。ステップＳ１２３では第１の浸漬時間を第３の報知手段１５ｃによって報知してステップＳ１２４へ進む。ステップＳ１２４では炊飯終了時刻の設定を開始する予約設定開始手段５が操作されたかどうかを判断し、操作された場合はステップＳ１２５へ進み、操作されていない場合はステップＳ１２０へ戻る。ステップＳ１２５では予約時間設定手段５によって予約時刻を設定し、設定された予約時刻を表示手段９に表示してステップＳ１２６へ進む。ステップＳ１２６では炊飯開始手段７が操作されたかどうかを判定し、操作された場合はステップＳ１２７へ進み、操作されていない場合はステップＳ１２５へ戻る。ステップＳ１２７では第１の浸漬時間に応じた予約可能時間を設定し、ステップＳ１２８へ進む。
【００６２】
ステップＳ１２８では予約時間設定手段５によって設定された予約時刻がステップＳ１２７で設定された予約可能時間以上であるかどうかを判断し、予約可能時間以上であればステップＳ１２９へ進み、予約可能時間未満であればステップＳ１３０へ進む。ステップ１３０では予約炊飯不可能であることを報知し、ステップＳ１３２へ進む。ステップＳ１２９では設定された予約時間を表示手段９に表示し、第１の浸漬時間に応じた炊飯開始時間を第２の報知手段１５ｂで報知してステップＳ１３１へ進む。ステップＳ１３１では、設定された予約時間と第１の浸漬時間に応じて予約炊飯を開始する。ステップＳ１３２では、予約炊飯を行わずに第１の浸漬時間に応じた炊飯を開始する。
【００６３】
以上のように、本実施の形態においては、予約時間設定手段５により炊飯終了時刻または炊飯終了までの時間の設定をした場合に、炊飯開始時刻を第２の報知手段１５ｂにより報知するようにしたので、浸漬時間によって変化する炊飯開始時間であっても故障や設定間違いといった誤解を生じずに、希望する終了時間近くに炊き上がるようにできるとともに、実際の浸漬時間に応じた炊飯を行うことができる。
【００６４】
また、第１の浸漬時間計測手段６の出力を第３の報知手段１５ｃにより報知するようにしたので、開始時間が変わる理由を知ることができ、浸漬時間によって変化する炊飯開始時間であっても故障や設定間違いといった誤解を生じずに、希望する終了時間近くに炊き上がるようにできるとともに、実際の浸漬時間に応じた炊飯を行うことができる。
【００６５】
なお、本実施の形態では、第１の浸漬時間と炊飯開始時刻の報知を行うようにしているが、どちらか一方のみでもよく、必要なときに報知してもよいし、報知内容を切り替えできるようにしてもよく、同様の作用、効果を得ることができる。
【００６６】
また、本実施の形態では、報知する浸漬時間を第１の浸漬時間のみとしているが、第２の浸漬時間または第３の浸漬時間を報知したり、選択して報知するようにしてもよく、同様の作用、効果を得ることができる。
【００６７】
また、本実施の形態では、第２の報知手段１５ｂと第３の報知手段１５ｃを表示手段９の一部としているが、使用者に情報を提供する手段であればよいのであり、表示手段９の別のものでもよいし、複数の報知手段を使用してもよく、同様の作用、効果を得ることができる。
【産業上の利用可能性】
【００６８】
以上のように、本発明にかかる炊飯器は、より希望する終了時間近くに炊き上がるようにできるとともに、より実際の浸漬時間に応じた炊飯を行うことができるので、浸漬時間に応じた炊飯シーケンスで予約炊飯を行う炊飯器として有用である。
【図面の簡単な説明】
【００６９】
【図１】本発明の実施の形態１における炊飯器の要部ブロック図
【図２】同炊飯器の動作フローチャート
【図３】本発明の実施の形態２における炊飯器の要部ブロック図
【図４】同炊飯器の動作フローチャート
【図５】本発明の実施の形態３における炊飯器の要部ブロック図
【図６】同炊飯器の動作フローチャート
【図７】本発明の実施の形態４における炊飯器の要部ブロック図
【図８】同炊飯器の動作フローチャート
【図９】本発明の実施の形態５における炊飯器の要部ブロック図
【図１０】同炊飯器の動作フローチャート
【図１１】本発明の実施の形態６における炊飯器の要部ブロック図
【図１２】同炊飯器の動作フローチャート
【符号の説明】
【００７０】
１  内鍋
２  加熱手段
３  温度検知手段
４  予約設定開始手段
５  予約時間設定手段
６  第１の浸漬時間計測手段
８  制御手段
【図１】
2007289308.tif 000003
【図２】
2007289308.tif 000004
【図３】
2007289308.tif 000005
【図４】
2007289308.tif 000006
【図５】
2007289308.tif 000007
【図６】
2007289308.tif 000008
【図７】
2007289308.tif 000009
【図８】
2007289308.tif 000010
【図９】
2007289308.tif 000011
【図１０】
2007289308.tif 000012
【図１１】
2007289308.tif 000013
【図１２】
2007289308.tif 000014